(57)【要約】【課題】  直感的・感覚的な操作性を達成すると共に、娯楽性や装飾性をも向上させた、映像機器や音響機器等の電子機器を遠隔操作するリモートコントローラ、及び、リモートコントロールシステムを提供すること。【解決手段】  リモートコントローラ１は、帯板状の下部１１１と、その下部１１１の一端から折り返すように上方に向かって突設された揺動可能な帯板状の上部１１２とで、外観形状が側面視略Ｖ字状に形成し、さらに、上部１１２の上面に、タップ操作する位置に応じて、遠隔操作可能な各種機能が割り当てられたパッド状の入力部１２を備える。そして、映像機器は、入力部１２の位置毎に割り当てられた遠隔操作可能な各種機能を、同じ位置関係でもって遠隔操作可能な各種機能を表示させる画面表示手段を備える。【選択図】図１
2006295590.tif 000002
【特許請求の範囲】
【請求項１】
映像機器や音響機器等の電子機器を遠隔操作するリモートコントローラであって、
タップ操作によって前記電子機器を遠隔操作させるパッド状の入力部を有したことを特徴とするリモートコントローラ。
【請求項２】
前記入力部は、前記タップ操作する位置に応じて、遠隔操作可能な各種機能が割り当てられていることを特徴とする請求項２記載のリモートコントローラ。
【請求項３】
前記入力部は、前記タップ操作の回数に応じて、遠隔操作可能な各種機能が割り当てられていることを特徴とする請求項１または２記載のリモートコントローラ。
【請求項４】
前記入力部は、前記タップ操作の強さに応じて、遠隔操作可能な各種機能が割り当てられていることを特徴とする請求項１〜３の何れか１項記載のリモートコントローラ。
【請求項５】
前記タップ操作と同時に擬似打音を発生させる打音発生部を有したことを特徴とする請求項１〜４の何れか１項記載のリモートコントローラ。
【請求項６】
載置面が設けられた下部と、該下部の一端から折り返すように上方に向かって突設された上部とを備えたケース部とを有してなり、
前記入力部は、前記上部の上面に設けられていることを特徴とする請求項１〜５の何れか１項記載のリモートコントローラ。
【請求項７】
前記上部は、前記下部方向へ揺動可能に設けられていることを特徴とする請求項６記載のリモートコントローラ。
【請求項８】
載置面が設けられた下部と、該下部の一端から折り返すように上方に向かって突設され前記下部方向へ揺動可能に設けられて上部とを備えたケース部とを有してなり、
前記入力部は、前記上部の上面に設けられていると共に、
前記打音発生部は、前記タップ操作によって前記上部が前記下部方向へ揺動すると同時に前記擬似打音を発生させることを特徴とする請求項５記載のリモートコントローラ。
【請求項９】
請求項１〜８の何れか１項記載のリモートコントローラと、前記電子機器とを備えて構築されたリモートコントロールシステムであって、
前記電子機器は、前記リモートコントローラによる遠隔操作可能な各種機能を表示させる画面表示手段を備えていることを特徴とするリモートコントロールシステム。
【請求項１０】
前記電子機器は、前記タップ操作と同時に擬似打音を発生させる打音発生部を有したことを特徴とする請求項９記載のリモートコントロールシステム。
【発明の詳細な説明】
【技術分野】
【０００１】
本発明は、映像機器や音響機器等の電子機器を遠隔操作するリモートコントローラ及びリモートコントロールシステムに関する。
【背景技術】
【０００２】
映像機器や音響機器等の電子機器を遠隔操作する従来のリモートコントローラは、その外観形状が略帯板状に形成されている。そして、電子機器を遠隔操作させる入力部は、所謂押し釦方式によるものや（例えば特許文献１参照）、リモートコントローラに表示画面を設け操作メニューを三次元的に表示して、タッチセンサで操作するもの（例えば特許文献２参照）などが挙げられる。
【特許文献１】特開平９−２７１０８０号公報（第２頁、図１）
【特許文献２】特開２００１−２８２４１２号公報（第３頁、図２）
【発明の開示】
【発明が解決しようとする課題】
【０００３】
ところで、昨今の映像機器や音響機器等の電子機器は、その各種の選択項目のほとんどをリモートコントローラによる遠隔制御を行っている。
特に、映像機器の一つであるテレビは、電源のＯＮ／ＯＦＦ、地上波やＣＳ、ＢＳ等の放送タイプの切り換え、チャンネルの切り換え、画像設定（カラー調整やコントラスト調整等）等、各種の選択項目のほとんどを、リモートコントローラによる遠隔制御を実現している。
【０００４】
しかしながら、従来、これら各種の選択項目を、リモートコントローラの押し釦等と、各種の選択項目が表示されるテレビ画面の双方を見ながらの操作となっており、煩雑であり煩わしいという問題があった。
【０００５】
特に、テレビ画面に表示される各種の選択項目の配置パターンは、リモートコントローラに配置された押し釦などの入力部の配置パターンと相違している。従って、テレビ画面に表示された各種情報を見ながら、例えば←↑→↓等のリモートコントローラの押し釦を確認しての操作となっており、すぐさま直感的・感覚的な操作ができないといった問題点も有していた。
【０００６】
さらに、リモートコントローラの外観形状は、上述したように略帯板状に形成されているが、このような形状のリモートコントローラを片手で持ち、さらに押し釦等を操作するには、決して操作性に優れているとは言えず、また、外観形状が無機的なデザインになりやすく、購買意欲を高める娯楽性や装飾性に限界があった。
【０００７】
そこで本発明は、このような状況に鑑みてなされたものであり、上記問題点を解決できるリモートコントローラ及びリモートコントロールシステムを提供することを目的とする。
【課題を解決するための手段】
【０００８】
上記技術課題を達成するために、本発明にかかるリモートコントローラ及びリモートコントロールシステムは、下記の技術的手段を講じた。
すなわち、請求項１にかかるリモートコントローラは、映像機器や音響機器等の電子機器を遠隔操作するリモートコントローラであって、タップ操作によって前記電子機器を遠隔操作させるパッド状の入力部を有したことを特徴とする。
請求項２にかかるリモートコントローラは、請求項１において、前記入力部は、前記タップ操作する位置に応じて、遠隔操作可能な各種機能が割り当てられていることを特徴とする。
請求項３にかかるリモートコントローラは、請求項１または２において、前記入力部は、前記タップ操作の回数に応じて、遠隔操作可能な各種機能が割り当てられていることを特徴とする。
請求項４にかかるリモートコントローラは、請求項１〜３の何れかにおいて、前記入力部は、前記タップ操作の強さに応じて、遠隔操作可能な各種機能が割り当てられていることを特徴とする。
請求項５にかかるリモートコントローラは、請求項１〜４の何れかにおいて、前記タップ操作と同時に擬似打音を発生させる打音発生部を有したことを特徴とする。
請求項６にかかるリモートコントローラは、請求項１〜５の何れかにおいて、載置面が設けられた下部と、該下部の一端から折り返すように上方に向かって突設された上部とを備えたケース部とを有してなり、前記入力部は、前記上部の上面に設けられていることを特徴とする。
請求項７にかかるリモートコントローラは、請求項６において、前記上部は、前記下部方向へ揺動可能に設けられていることを特徴とする。
請求項８にかかるリモートコントローラは、請求項５において、載置面が設けられた下部と、該下部の一端から折り返すように上方に向かって突設され前記下部方向へ揺動可能に設けられて上部とを備えたケース部とを有してなり、前記入力部は、前記上部の上面に設けられていると共に、前記打音発生部は、前記タップ操作によって前記上部が前記下部方向へ揺動すると同時に前記擬似打音を発生させることを特徴とする。
請求項９にかかるリモートコントロールシステムは、請求項１〜８の何れか１項記載のリモートコントローラと、前記電子機器とを備えて構築されたリモートコントロールシステムであって、前記電子機器は、前記リモートコントローラによる遠隔操作可能な各種機能を表示させる画面表示手段を備えていることを特徴とする。
請求項１０にかかるリモートコントロールシステムは、請求項９において、前記電子機器は、前記タップ操作と同時に擬似打音を発生させる打音発生部を有したことを特徴とする。
【発明の効果】
【０００９】
本発明によれば、タップ操作によって電子機器を遠隔操作させるパッド状の入力部を採用したことにより、手元（リモートコントローラ）を見ること無く、また音や揺動といったフィードバックを得ながら、また各種の選択項目が表示される画面を見ながら、直感的・感覚的な操作性を達成することができる。
さらに、リモートコントローラの外観形状を、載置面が設けられた下部の一端から折り返すように上部を上方に向かって突設させて側面視略Ｖ字状に形成したことで、従来の略帯板状の無機的なデザインのリモートコントローラと比較して娯楽性や装飾性を向上することができる。
【発明を実施するための最良の形態】
【００１０】
次に、本発明を実施するための最良の形態を、図面を参照して具体的に説明する。
【００１１】
本実施の形態にかかるリモートコントローラ１は、液晶テレビ、ブラウン管テレビ、プラズマテレビ等の映像機器２（DVDレコーダーやHDDレコーダー付属）を遠隔操作するもので、ケース部１１と、入力部１２と、打音発生部１３とを備えて構成される。
【００１２】
ケース部１１は、図１に示すように、水平状の載置面１１ａが形成され、リモートコントローラとして機能するための電子回路基板、電池など（共に図示せず）が内装された帯板状の下部１１１と、その下部１１１の一端から折り返すように上方に向かって突設された帯板状の上部１１２とで、外観形状が側面視略Ｖ字状に形成されている。
【００１３】
この下部１１１と上部１１２との折り返し部１１ｂは、下部１１１と上部１１２の厚みより薄い所要の厚さで凸湾曲形成させており、この折り返し部１１ｂが弾性変形することで、上部１１２が下部１１１方向へ揺動するようになっている。また上部１１２の上面中央の折り返し部１１ｂ近傍には、遠隔操作情報を送信する送信部１４が内装される。
【００１４】
なお、本実施形態では折り返し部を上部１１２及び下部１１１と一体成形させているが、バネ鋼などで別部材構成しても良い。
【００１５】
入力部１２は、タップ操作によって情報入力可能な静電パッドや圧電パッド等のパッド部材で構成され、図示したように、傾斜状に設けられた上部１１２の上面に略矩形状に敷設され、上記した電子回路基板に電気的に接続されている。
【００１６】
この入力部１２は、タップ操作する位置に応じて、遠隔操作可能な各種機能が割り当てられており、例えば、図１に示したように、略矩形状の入力部１２を対角線（二点鎖線で図示）で交差状に仕切り、形成された４分割の領域Ｘ１、Ｘ２，Ｙ１、Ｙ２夫々に、遠隔操作可能な各種機能が割り当てられる。また、入力部１２中央部に二点鎖線で図示したサークル領域Ｃにも、遠隔操作可能な各種機能が割り当てられる。
【００１７】
この場合、各領域に割り当てられる各種機能は固定されたものではなく、タップ操作に応じて次の遠隔操作可能な各種機能が割り当てられるもので、その操作例は後述する。
また、この入力部１２は、タップ回数に応じても、遠隔操作可能な各種機能が割り当てられており、上記と同様に、その操作例は後述する。
さらに、この入力部１２は、タップ操作の強さ応じて、遠隔操作可能な各種機能を割り当てても良い。この場合、入力部１２を圧電パッドで構成し、例えば、軽く触れる程度のタップ操作と、叩く感じでのタップ操作とを、電流の変化で振り分けることで実施可能になる。
【００１８】
打音発生部１３は、擬似打音を発生させるように、ＩＣ、スピーカー等で構成され、下部１１１上面の開放端部近傍に設けたスピーカー孔１１ｃ下部内に配置されている。この打音発生部１３は、入力部１２に対し人差し指などでタップ操作を行うと、上部１１２が下部１１１方向へ揺動すると同時に擬似打音が発生するようになっており、入力が正常に行われたか否かをリモートコントローラ１使用者へ報知するようになっている。
【００１９】
この場合、所望する領域に正常に入力が行われたか否かをリモートコントローラ１使用者が判断できるように、擬似打音の音質を領域Ｘ１、Ｘ２，Ｙ１、Ｙ２、Ｃごとに変えることが極めて好適である。このように擬似打音の音質を領域Ｘ１、Ｘ２，Ｙ１、Ｙ２、Ｃごとに変えることで、操作性はもとより、娯楽性をも向上することができる。
【００２０】
また、この打音発生部１３は図示しない切り換えスイッチなどによって、擬似打音のＯＮ／ＯＦＦの切り換えができるようになっており、リモートコントローラ１使用者の所望により切り換えできるようになっている。
【００２１】
なお、本実施の形態では、この上記した打音発生部を、リモートコントローラ１に設けたものを例示しているが、映像機器２（電子機器）にのみ設けたり、リモートコントローラ１と映像機器２の双方に設けても良い。
リモートコントローラ１と映像機器２の双方に設けた場合、どちらから擬似打音を鳴らすかを、選択できるようにすることが好適である。
【００２２】
さらに、これらの打音発生部は、擬似打音の音量を可変できるようにしても良い。
また、遠隔操作可能な各種機能をタップ操作の強さ応じて割り当てた場合、打音発生部１３を、そのタップ操作の強さ応じて音色を変化させるように構成することが好適である。
【００２３】
以上のように構成された本実施の形態にかかるリモートコントローラ１は、図１に示すように、外観形状が側面視略Ｖ字状に形成されて、娯楽性や装飾性を兼ね備えた極めて好適なデザインになっており、また、リモートコントローラ１使用者が、机上等に載置したケース部１１を、例えば、人差し指で入力部１２をタップ操作するだけで遠隔操作情報が送信されるので、手元のリモートコントローラ１をその都度確認することなく、直感的・感覚的な操作性を実現している。
【００２４】
なお、本実施の形態では、外観形状を帯板状の下部１１１と上部１１２とで側面視略Ｖ字状に形成しているが、このものに限定されず、下部１１１と上部１１２とを略円板状にして、所謂カスタネット状に形成しても良い。また、打音発生部１３の配置や、スピーカー孔１１ｃの位置、スピーカー孔１１ｃの有無等は任意であり、本実施の形態に限定されたものではない。
【００２５】
次に、このリモートコントローラ１を用いたリモートコントロールシステムを説明する。
このリモートコントロールシステムは、上述したリモートコントローラ１と、液晶テレビ、ブラウン管テレビ、プラズマテレビ等の映像機器２（DVDレコーダーやHDDレコーダー付属）とで構築される。
【００２６】
この映像機器２は、さらに、入力部１２の位置毎に割り当てられた遠隔操作可能な各種機能に対し、同じ位置関係でもって遠隔操作可能な各種機能を表示させる画面表示手段を備えて構成されている。この画面表示手段で表示される各種機能は後述する。
【００２７】
次に、リモートコントローラ１を用いたリモートコントロールシステムの具体的な操作例を、図２〜図９を参照しながら説明する。
【００２８】
まず、ＴＶ視聴について説明する。
スタンバイ状態の映像機器２に向けて、リモートコントローラ１の入力部１２のサークル領域Ｃをタップ操作すると、上部１１２が下部１１１に向けて揺動すると共に擬似打音が鳴り、これと同時に送信部１４からテレビ画面２１通電の遠隔操作情報が送信し、テレビ画面２１が通電してＴＶ視聴モードに入る（図２参照：図２は地上波６チャンネルが表示された例を示す）。なお、各領域に対してタップ操作を行うと、上部１１２が下部１１１に向けて揺動すると共に擬似打音が鳴るが、以下に説明する操作においても共通であるため、かかる説明は省略する。
【００２９】
なお、リモートコントローラ１から送信された遠隔操作情報に応じて、映像機器２に設けたスピーカから擬似打音を鳴らしても、入力が正常に行われたか否かをリモートコントローラ１使用者へ報知できる。したがって、上記したように、打音発生部１３は、リモートコントローラ１のみ設ける、映像機器２（電子機器）のみ設ける、リモートコントローラ１と映像機器２の双方に設ける、何れの態様でも良いものである。
【００３０】
そして、４分割領域のうち、水平方向領域、すなわち領域Ｘ１、領域Ｘ２の何れかをタップ操作すると、現在表示された映像カテゴリ内における映像の切り換えが行われる。例えば、図３においては、テレビ画面２１に地上波放送の６チャンネルが表示されているが、領域Ｘ１、領域Ｘ２の何れかをタップ操作すると、隣接するチャンネルに順次切り替わる。
【００３１】
すなわち、領域Ｘ１を１回だけタップ操作すると、５チャンネルに切り替わり、領域Ｘ１を２回タップ操作すると４チャンネルに切り替わり、同様に、領域Ｘ２を１回だけタップ操作すると、６チャンネルに切り替わり、領域Ｘ２を２回タップ操作すると７チャンネルに切り替わる。つまり、領域Ｘ１またはＸ２をｎ回タップ操作するとｎ回分順次チャンネルに切り替わる。
【００３２】
地上波、ＢＳ、ＣＳ、ライブラリ（例えばDVDレコーダーやHDDレコーダーで録画されたもの）、外部入力といった映像カテゴリを切り換える場合は、領域Ｙ１、領域Ｙ２の何れかをタップ操作することで切り換えられる。
【００３３】
ＴＶ視聴を中止する場合、すなわちテレビ画面２１のＯＦＦは、図２に示したサークル領域Ｃを３回続けてタップ操作することでテレビ画面２１がＯＦＦになる。
【００３４】
次に、ガンマ調整やコントラスト調整、色合い設定等の画質設定や音質設定などの“設定”と、電子番組表Ｐの呼び出しである“番組表”と、“音量”（ボリューム調整）で構成されたメニューモードの呼び出しと各種設定について説明する。なお、以下に説明するメニューモードの表示や、そのメニューモードより下位の階層である“設定”、“番組表”、“音量”の表示は画面表示手段によって表示される。
【００３５】
まず、上記したＴＶ視聴モード状態（テレビ画面２１のＯＮ）で、サークル領域Ｃを１回だけタップ操作することで、メニューモードに移行し、図４に示すように、テレビ画面２１内に、入力部１２内の位置毎に割り当てられた遠隔操作可能な各種機能と同じ位置関係でもって割り付けられたメニュー画面Ｍが表示される。
【００３６】
例えば、入力部１２の領域Ｘ１をタップ操作すると、“設定”モードに切り替わり、図５に示すような、中央に表示させたフォーカスＦ内に現在設定可能な設定項目Ａ（例えばガンマ調整等）が表示される。
【００３７】
このフォーカスＦを挟んで水平方向には他の設定項目Ａ（コントラスト調整、色合い設定等の画質設定や音質設定等）が順序立てて配置されており、領域Ｘ１、Ｘ２の何れかを１回だけタップ操作すると、フォーカスＦ内に現在設定可能な設定項目Ａが一つずれて移動し、隣の設定項目ＡがフォーカスＦ内に移動して設定可能な設定項目Ａとなる。
【００３８】
さらに、現在、設定可能な設定項目Ａに対する詳細設定は、この上記した状態で、領域Ｙ１、Ｙ２の何れかを１回だけタップ操作することで、フォーカスＦ内の設定項目Ａに対する詳細設定であるプルダウンメニューが表示される（図６参照）。
【００３９】
この状態で、領域Ｙ１を１回だけタップ操作することで、フォーカスＦ内に下隣の詳細設定（ガンマ調整の場合、その調整量を示す数字や記号、またはガンマ調整後を示した子画面）が繰り上がってフォーカスＦ内に移動する。また、その逆に領域Ｙ２を１回だけタップ操作するとフォーカスＦより上隣の詳細設定が表示されると同時にフォーカスＦ内にフォーカスＦ上隣の詳細設定が繰り下がってフォーカスＦ内に移動する。
【００４０】
そして所望の設定項目Ａに対する詳細設定を決定する場合は、サークル領域Ｃを１回だけタップ操作することで、設定項目Ａに対する詳細設定が決定し、図５に示すような“設定”モードの表示に戻る。なお、必要に応じて、他の設定項目Ａ（コントラスト調整、色合い設定等の画質設定や音質設定等）に上記と同様の手順にて詳細設定を選択・決定する。
【００４１】
“設定”モードの表示からメニュー画面ＭやＴＶ視聴への移行は、上記の状態でサークル領域Ｃを１回だけタップ操作することでメニュー画面Ｍに戻り、さらに、サークル領域Ｃを１回タップ操作することでＴＶ視聴状態に移行する。なお、サークル領域Ｃを、間を置かず続けて２回タップ操作することで、“設定”モードの表示からＴＶ視聴状態に一気に移行する。
【００４２】
電子番組表Ｐの呼び出しと設定は、まず、上記したようにＴＶ視聴の状態でサークル領域Ｃを１回だけタップ操作してメニューモードに移動し、さらに、領域Ｘ２を１回だけタップ操作して“番組表”モードに移動する（図７参照）。
【００４３】
呼び出した電子番組表Ｐを、図７に示す。
電子番組表Ｐは、各局の時間ごとの番組を記載した番組プログラム部Ｐ１と、番組プログラム部Ｐ１でフォーカスがあたった部分の詳細を表示し、予約時には、その予約内容確認のための表示を行う詳細表示部Ｐ2からなる。
【００４４】
番組プログラム部Ｐ１内で、フォーカスＦのあたっている番組は、太枠で表示され、また、番組プログラム部Ｐ１内で、視聴予約、もしくは録画予約がされている番組は、所定のカラーで反転表示、もしくはバック表示されている（図７中、Ａ部）。
【００４５】
電子番組表Ｐを起動した直後のフォーカスＦは、直前まで視聴していた番組（現在受信中の番組）になっている。よって詳細表示部Ｐ２は、番組プログラム部Ｐ１でフォーカスＦのあたっている直前まで視聴していた番組の詳細表示となっている。
【００４６】
また、電子番組表Ｐを起動した直後の番組プログラム部Ｐ１の表示は、現在時刻からそれ以降に放映されている各局の番組表が表示される。予約する番組を選択するためにタップ操作してフォーカスＦを移動させると、詳細表示部Ｐ２に表示される内容が変化する。
【００４７】
視聴予約や録画予約をする場合は、入力部１２の領域Ｘ１、Ｘ２，Ｙ１、Ｙ２をタップ操作して、区分け表示された各番組を移動し所望の番組まで移動する。このとき、タップ操作するごとに、太枠表示されたフォーカスＦが順次移動して、状態が把握できるようになっている。
【００４８】
このとき、領域Ｘ１、Ｘ２，Ｙ１、Ｙ２のタップ操作位置と、フォーカスＦの移動方向は同じ方向になっている。すなわち、領域Ｘ１をタップ操作すれば、フォーカスＦは左方向へ移動し、その逆に、領域Ｘ２をタップ操作すれば、フォーカスＦが右方向へ移動する。領域Ｙ１、Ｙ２も同様である。
【００４９】
このようにして視聴予約や録画予約をする所望の番組にフォーカスＦを位置させて、視聴予約や録画予約の選択候補としたら、サークル領域Ｃを１回だけタップ操作して番組を決定すると同時に、視聴予約または録画予約の何れかを選択する選択画面が表示される（図８参照）。
【００５０】
次いで、領域Ｘ１、Ｘ２の何れかをタップ操作して視聴予約または録画予約の何れかを選択候補する（選択候補された視聴予約または録画予約は太枠表示されて把握できるようになっている）。そして、サークル領域Ｃを１回だけタップ操作することで、再度電子番組表Ｐが表示され、その“番組表”中、Ｅ欄に“録画”または“視聴”の文字が表示されると同時に予約番組が反転表示または所定のカラーでバック表示される。
なお、上記した電子番組表Ｐ及び、フォーカスやカラーでバック表示等の表示例は一例であり、特にこの表現方法に限ったものではない。
【００５１】
“番組表”モードの表示からメニュー画面ＭやＴＶ視聴への移行は、上記の状態でサークル領域Ｃを１回だけタップ操作することでメニュー画面Ｍに戻り、さらに、サークル領域Ｃを１回タップ操作することでＴＶ視聴状態に移行する。なお、サークル領域Ｃを、間を置かず続けて２回タップ操作することで、“設定”モードの表示からＴＶ視聴状態に一気に移行する。
【００５２】
また、“音量”調整（ボリューム調整）は、ＴＶ視聴モード状態（テレビ画面２１のＯＮ）で、サークル領域Ｃを１回だけタップ操作して、メニューモードに移行する。そして領域Ｙ１または領域Ｙ２をタップ操作することにより、音量レベルを示した模式絵Ｖがテレビ画面２１に表示されると同時にタップ操作に応じた音量に調整される。
【００５３】
すなわち、領域Ｙ１をタップ操作することにより、音量レベルが上がり、その逆に、領域Ｙ２をタップ操作することにより、音量レベルが下がる。所望の音量レベルになったら、そのタップ操作を止めてしばらく放置するだけで、音量レベルを示した模式絵Ｖがテレビ画面２１から消えて音量調整が終了する。なお、サークル領域Ｃを１回だけタップ操作しても、音量レベルを示した模式図がテレビ画面２１から消えて音量調整が終了する。
【００５４】
このように本実施の形態にかかるリモートコントロールシステムは、人差し指等で入力部１２をタップ操作するだけで遠隔操作情報が送信されるので、手元にあるリモートコントローラ１をその都度確認することなく、直感的・感覚的な操作性を実現している。
【００５５】
以上、本実施の形態にかかるリモートコントローラ、リモートコントロールシステムを説明したが、上述した実施の形態は、本発明の好適な実施の形態の一例を示すものであり、本発明はそれに限定されるものではなく、その要旨を逸脱しない範囲内において、種々変形実施が可能である。
例えば、本実施の形態では、リモートコントローラの形状を、折り返し形状のものを例示したが、このものに限定されず、略帯板状や、略円板状、他の任意形状等、いずれでも良いもので、本発明は、どのようなデザインのリモートコントローラにも容易に適用できる。
【図面の簡単な説明】
【００５６】
【図１】本実施の形態にかかるリモートコントローラの斜視図である。
【図２】本実施の形態にかかるリモートコントロールシステムの動作例を示す模式図その１である。
【図３】本実施の形態にかかるリモートコントロールシステムの動作例を示す模式図その２である。
【図４】本実施の形態にかかるリモートコントロールシステムの動作例を示す模式図その３である。
【図５】本実施の形態にかかるリモートコントロールシステムの動作例を示す模式図その４である。
【図６】本実施の形態にかかるリモートコントロールシステムの動作例を示す模式図その５である。
【図７】本実施の形態にかかるリモートコントロールシステムの動作例を示す模式図その６である。
【図８】本実施の形態にかかるリモートコントロールシステムの動作例を示す模式図その７である。
【図９】本実施の形態にかかるリモートコントロールシステムの動作例を示す模式図その８である。
【符号の説明】
【００５７】
１  リモートコントローラ
１１  ケース部
１１ａ  載置面
１１ｂ  折り返し部
１１ｃ  スピーカー孔
１１１  下部
１１２  上部
１２  入力部
１３  打音発生部
１４  送信部
２  映像機器
２１  テレビ画面
Ｘ１、Ｘ２、Ｙ１、Ｙ２  領域
Ｃ  サークル領域
Ｆ  フォーカス
Ｍ  メニュー画面
Ａ  設定項目
Ｐ  電子番組表
Ｖ  模式絵
【図１】
2006295590.tif 000003
【図２】
2006295590.tif 000004
【図３】
2006295590.tif 000005
【図４】
2006295590.tif 000006
【図５】
2006295590.tif 000007
【図６】
2006295590.tif 000008
【図７】
2006295590.tif 000009
【図８】
2006295590.tif 000010
【図９】
2006295590.tif 000011